(57)【要約】【課題】後から空気調和する方の部屋内の快適性をより早く確保することができるマルチタイプの空気調和機の提供。【解決手段】空気調和機１００は、第１部屋１ａ内を空気調和する第１室内機２ａと、第２部屋１ｂ内を空気調和する第２室内機２ｂと、第１室内機２ａに接続される第１吸排気ホース６ａと第２室内機２ｂに接続される第２吸排気ホース６ｂとを有する加湿ユニット４と、空気流路切り換え部３０とを備えている。加湿ユニット４は、第１吸排気ホース６ａを介して第１室内機２ａに室外の空気を供給し、第２吸排気ホース６ｂを介して第２室内機２ｂに室外の空気を供給する。空気流路切り換え部３０は、第１吸排気ホース６ａおよび第２吸排気ホース６ｂを介して第１部屋１ａ内から第２部屋１ｂ内に空気が搬送されるように、第１吸排気ホース６ａと第２吸排気ホース６ｂとの連結状態を切り換え可能である。【選択図】図１
2009168409.tif 000002
【特許請求の範囲】
【請求項１】
第１部屋（１ａ，２０１ａ）内を空気調和する第１室内機（２ａ，２０２ａ）と、
第２部屋（１ｂ，２０１ｂ）内を空気調和する第２室内機（２ｂ，２０２ｂ）と、
前記第１室内機に接続される第１空気流路（６ａ，２０６ａ）と、前記第２室内機に接続される第２空気流路（６ｂ，２０６ｂ）とを有し、前記第１空気流路を介して前記第１室内機に室外の空気を供給し前記第２空気流路を介して前記第２室内機に室外の空気を供給する給気ユニット（４，２０４）と、
前記第１空気流路および前記第２空気流路を介して前記第１部屋内から前記第２部屋内に空気が搬送されるように、前記第１空気流路と前記第２空気流路との連結状態を切り換え可能な切り換え部（３０，２３０）と、
を備える空気調和機（１００，２００）。
【請求項２】
前記給気ユニットは、室外の空気を取り込む空気取込口（７ｃ，２０７ｃ）が設けられている空気取込部を更に有し、
前記切り換え部は、前記空気取込部の内部空間と前記第１空気流路または前記第２空気流路の少なくともいずれか一方の内部空間とを連通させる第１状態と、前記空気取込部の内部空間と前記第１空気流路の内部空間および前記第２空気流路の内部空間とを遮断し前記第１空気流路の内部空間と前記第２空気流路の内部空間とを連通させる第２状態との切り換えが可能である、
請求項１に記載の空気調和機。
【請求項３】
前記切り換え部は、前記給気ユニットの近傍または内部に配置される、
請求項１または２に記載の空気調和機。
【請求項４】
前記第１部屋内から前記第２部屋内に向かう方向に空気流を生成可能なファン（４０ａ，４０ｂ，２４０ａ，２４０ｂ）を更に備える、
請求項１から３のいずれかに記載の空気調和機。
【請求項５】
前記ファンは、前記第１空気流路内に配置される第１ファン（４０ａ，２４０ａ）と、前記第２空気流路内に配置される第２ファン（４０ｂ，２４０ｂ）とを有し、
前記第１ファンおよび前記第２ファンは、前記給気ユニット側から前記第１室内機側または前記第２室内機側に向かう方向である第１方向と、前記第１室内機側または前記第２室内機側から前記給気ユニット側に向かう方向である第２方向とに空気流を生成可能である、
請求項４に記載の空気調和機。
【請求項６】
前記給気ユニットは、加湿空気を生成する加湿部（６）を更に有し、前記加湿部から前記第１室内機および前記第２室内機に前記加湿空気を供給可能である、
請求項１から５のいずれかに記載の空気調和機。
【請求項７】
前記給気ユニットは、前記第１部屋内および前記第２部屋内の空気を室外に吹き出す空気吹き出し口（７ｃ，２０７ｃ）が設けられている空気吹き出し部を更に有し、
前記切り換え部は、前記吹き出し部の内部空間と前記第１空気流路の内部空間および前記第２空気流路の内部空間とを連通させる第３状態への切り換えが更に可能である、
請求項１に記載の空気調和機。
【発明の詳細な説明】
【技術分野】
【０００１】
本発明は、室外の空気を室内に給気することができる空気調和機に関する。
【背景技術】
【０００２】
従来より、１台の室外機に複数台の室内機が冷媒配管によって接続されているマルチタイプの空気調和機がある。このような空気調和機では、１つの部屋に対して１台の室内機が設置される場合がある。この場合、各部屋内に設置されている各室内機によって、部屋内の温度が予め設定されている設定温度に近づくように空気調和が行われる。
【０００３】
例えば、自室および他室にそれぞれ１台ずつの室内機が設置されており、自室の室内機を操作するためのリモートコントローラによって、他室の室内機を操作することができる空気調和機が提案されている（特許文献１参照）。この空気調和機では、空調対象者が、自室においてリモートコントローラを操作することによって、他室の室内機を操作することができる。このため、空調対象者は、自室に居ながら他室内の空気調和を行うことができる。
【特許文献１】特開平９−２１０４３３号公報
【発明の開示】
【発明が解決しようとする課題】
【０００４】
しかしながら、この空気調和機では、自室および他室に設置されている各室内機によって、それぞれの部屋内の温度から設定温度に近づくように空気調和が開始される。このため、例えば、空気調和が行われている自室内において、空調対象者が他室内の空気調和を開始させる場合、他室の空気調和は、他室の部屋内の温度から設定温度に近づくように行われなければならないことになる。
【０００５】
そこで、本発明の課題は、後から空気調和する方の部屋内の快適性をより早く確保することができるマルチタイプの空気調和機を提供することにある。
【課題を解決するための手段】
【０００６】
第１発明に係る空気調和機は、第１室内機と、第２室内機と、給気ユニットと、切り換え部とを備えている。第１室内機は、第１部屋内を空気調和する。第２室内機は、第２部屋内を空気調和する。給気ユニットは、第１空気流路と、第２空気流路とを有している。第１空気流路は、第１室内機に接続されている。第２空気流路は、第２室内機に接続されている。また、給気ユニットは、第１空気流路を介して第１室内機に室外の空気を供給する。さらに、給気ユニットは、第２空気流路を介して第２室内機に室外の空気を供給する。切り換え部は、第１空気流路および第２空気流路を介して第１部屋内から第２部屋内に空気が搬送されるように、第１空気流路と第２空気流路との連結状態を切り換え可能である。
【０００７】
第１発明に係る空気調和機では、第１部屋内から第２部屋内に空気が搬送されるように、第１空気流路と第２空気流路との連結状態を切り換え可能な切り換え部を備えている。このため、この空気調和機では、第１部屋内から第２部屋内に空気を搬送することができる。したがって、例えば、空気調和の行われている第１部屋内に居る空調対象者が第１部屋内から第２部屋内に移動する等の理由で、第２部屋内の空気調和が開始される場合、この空気調和機では、空気調和の行われている第１部屋内の空気を第２部屋内に搬送し、かつ、第２部屋内の空気調和を行うことができる。
【０００８】
これによって、後から空気調和する方の部屋内の快適性をより早く確保することができる。
【０００９】
第２発明に係る空気調和機は、第１発明の空気調和機であって、給気ユニットは、空気取込部を更に有している。空気取込部には、室外の空気を取り込む空気取込口が設けられている。また、切り換え部は、第１状態と第２状態との切り換えが可能である。第１状態とは、空気取込部の内部空間と、第１空気流路または第２空気流路の少なくともいずれか一方の内部空間とが連通する状態である。また、第２状態とは、空気取込部の内部空間と第１空気流路の内部空間および第２空気流路の内部空間とが遮断され、第１空気流路の内部空間と第２空気流路の内部空間とが連通する状態である。
【００１０】
第２発明に係る空気調和機では、切り換え部は、第１状態と第２状態との切り換えが可能である。このため、例えば、切り換え状態が第１状態である場合、室外から第１部屋内または第２部屋内の少なくともいずれか一方への空気の流路を形成可能である。また、切り換え状態が第２状態である場合、第１部屋内から第２部屋内への空気の流路が形成可能である。このため、この空気調和機では、第１空気流路および第２空気流路を介して、室外から第１部屋内および第２部屋内に室外の空気を送り込むことも、第１部屋内から第２部屋内に第１部屋内の空気を搬送することもできる。
【００１１】
これによって、室外の空気を部屋内に給気することができ、かつ、部屋内の空気を他の部屋内に搬送することができる。
【００１２】
第３発明に係る空気調和機は、第１発明または第２発明の空気調和機であって、切り換え部は、給気ユニットの近傍または内部に配置される。このため、騒音を発生させるおそれのある切り換え部を給気ユニットの駆動音にまぎれこませることができる。
【００１３】
これによって、空調対象者の不快感を軽減させることができる。
【００１４】
第４発明に係る空気調和機は、第１発明から第３発明のいずれかの空気調和機であって、第１部屋内から第２部屋内に向かう方向に空気流を生成可能なファンを更に備えている。このため、例えば、空気調和の行われている第１部屋内の空気が、空気調和が開始される第２部屋内に搬送される場合、ファンを備えていない空気調和機と比較して、第１部屋内の空気をより多く第２部屋内に搬送することができる。
【００１５】
これによって、後から空気調和する方の部屋内の快適性を更に早く確保することができる。
【００１６】
第５発明に係る空気調和機は、第４発明に係る空気調和機であって、ファンは、第１ファンと第２ファンとを有する。第１ファンは、第１空気流路内に配置される。また、第２ファンは、第２空気流路内に配置される。さらに、第１ファンおよび第２ファンは、第１方向と、第２方向とに空気流を生成可能である。第１方向とは、給気ユニット側から第１室内機側または前記第２室内機側に向かう方向である。また、第２方向とは、第１室内機側または第２室内機側から給気ユニット側に向かう方向である。
【００１７】
第５発明に係る空気調和機では、第１ファンおよび第２ファンが、第１方向と第２方向とに空気流を生成する。このため、例えば、空気取込部と第１空気流路および第２空気流路とが連通している状態で、第１ファンおよび第２ファンが第１方向に空気流を生成した場合、第１方向に空気流が生成されない場合と比較して、より多くの室外の空気を第１室内機および第２室内機に供給することができる。また、第１空気流路と第２空気流路とが連通している状態で、第１ファンが第２方向に空気流を生成し第２ファンが第１方向に空気流を生成した場合、第１方向または第２方向に空気流が生成されない場合と比較して、第１部屋内の空気をより多く第２部屋内に搬送することができる。
【００１８】
これによって、この空気調和機では、第１空気流路内および第２空気流路内の圧力損失による風量の低下を軽減することができる。
【００１９】
第６発明に係る空気調和機は、第１発明から第５発明のいずれかの空気調和機であって、給気ユニットは、加湿空気を生成する加湿部を更に有する。また、給気ユニットは、加湿部から第１室内機および第２室内機に加湿空気を供給可能である。なお、加湿部では、室外から取り込まれた空気から加湿空気を生成している。このため、この空気調和機は、第１部屋内および第２部屋内を加湿することができる。
【００２０】
第７発明に係る空気調和機は、第１発明の空気調和機であって、給気ユニットは、空気吹き出し部を更に有する。空気吹き出し部には、第１部屋内および第２部屋内の空気を室外に吹き出す吹き出し口が設けられている。また、切り換え部は、第３状態への切り換えが更に可能である。第３状態とは、吹き出し部の内部空間と、第１空気流路の内部空間および第２空気流路の内部空間とが連通する状態である。このため、第１部屋内および第２部屋内の空気を室外に排気することができる。したがって、この空気調和機では、室外の空気を部屋内に供給でき、かつ、部屋内の空気を室外に排気することができる。
【００２１】
これによって、部屋内の換気を行うことができる。
【発明の効果】
【００２２】
第１発明に係る空気調和機では、後から空気調和する方の部屋内の快適性をより早く確保することができる。
【００２３】
第２発明に係る空気調和機では、室外の空気を部屋内に給気することができ、かつ、部屋内の空気を他の部屋内に搬送することができる。
【００２４】
第３発明に係る空気調和機では、空調対象者の不快感を軽減させることができる。
【００２５】
第４発明に係る空気調和機では、後から空気調和する方の部屋内の快適性を更に早く確保することができる。
【００２６】
第５発明に係る空気調和機では、第１空気流路内および第２空気流路内の圧力損失による風量の低下を軽減することができる。
【００２７】
第６発明に係る空気調和機では、第１部屋内および第２部屋内を加湿することができる。
【００２８】
第７発明に係る空気調和機では、部屋内の換気を行うことができる。
【発明を実施するための最良の形態】
【００２９】
＜空気調和機の構成＞
本発明の一実施形態に係る空気調和機１００について説明する。この空気調和機１００は、図１に示すように、１台の室外機３と、２台の室内機２ａ，２ｂとが冷媒配管によって並列に接続されているマルチタイプの空気調和機である。また、この空気調和機１００は、冷房運転および暖房運転を含む通常運転、加湿運転、給気運転、排気運転および室内空気搬送運転等の運転を行うことができる。室外機３は、室外熱交換器２４や室外ファン２９などを内部に収容する室外空調ユニット５と、加湿ユニット４とを備えている。室内機２ａ，２ｂの内部には室内熱交換器１１ａ，１１ｂが収容されている。また、加湿ユニット４と室内機２ａ，２ｂとの間には、加湿ユニット４の内部空間と室内機２ａ，２ｂの内部空間と連通させることが可能な吸排気ホース６ａ，６ｂが設けられている。なお、吸排気ホース６ａ，６ｂは、室外に配置される室外ダクト８ａ，８ｂと、屋内に配置される室内ダクト７ａ，７ｂとから構成されている。
【００３０】
＜室内機の構成＞
第１室内機２ａは、図２に示すように、第１部屋１ａ内に配置されており、第１部屋１ａの壁面等に設置される壁掛け型の室内機である。また、第２室内機２ｂは、第２部屋１ｂ内に配置されており、第１室内機２ａと同様に第２部屋１ｂ内の壁面等に設置される壁掛け型の室内機である。また、第１室内機２ａおよび第２室内機２ｂは、図１に示すように、冷媒配管を介して室外機３に接続されている。
【００３１】
次に、第１室内機２ａの構成について説明する。なお、第１室内機２ａと第２室内機２ｂとは、同様の構成であるため、ここでは、第１室内機２ａの構成のみを説明する。
【００３２】
第１室内機２ａ内には、図１に示すように、第１室内ファン１２ａおよび上述の第１室内熱交換器１１ａ等が収容されている。
【００３３】
第１室内熱交換器１１ａは、長手方向両端で複数回折り返されてなる伝熱管と、伝熱管から挿通される複数のフィンとからなり、接触する空気との間で熱交換を行う。
【００３４】
第１室内ファン１２ａは、円筒形状に構成され、周面には回転軸方向に羽根が設けられている。第１室内ファン１２ａは、回転駆動することによって、回転軸と交わる方向に空気流を生成する。第１室内ファン１２ａは、第１部屋１ａ内の空気を第１室内機２ａ内に吸い込ませるとともに、第１室内熱交換器１１ａとの間で熱交換を行った後の空気を第１部屋１ａ内に吹き出させる。
【００３５】
また、第１室内機２ａ内には、第１吸排気ホース６ａの一部である第１室内ダクト７ａが配置されている。第１室内ダクト７ａには開口が設けられており、この開口は第１室内熱交換器１１ａの表面と対向する位置に配置されている。具体的な開口の位置とは、第１室内ファン１２ａが回転し空気流が生成されている状態で、第１室内機２ａの上部に設けられている空気取込口の下流側であり、かつ、第１室内熱交換器１１ａの上流側である。
【００３６】
＜室外機の構成＞
室外機３は、図１および図２に示すように、下部の室外空調ユニット５と、上部の加湿ユニット４とから構成されている。
【００３７】
室外空調ユニット５内には、図１に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂとが収容されている。室外膨張弁２５ａ，２５ｂは、フィルタ２６ａ，２６ｂおよび液閉鎖弁２７ａ，２７ｂを介して液冷媒配管に接続されており、この液冷媒配管を介して室内熱交換器１１ａ，１１ｂの一端と接続されている。また、四路切換弁２２は、ガス閉鎖弁２８ａ，２８ｂを介してガス冷媒配管に接続されており、このガス冷媒配管を介して室内熱交換器１１ａ，１１ｂの他端と接続されている。
【００３８】
加湿ユニット４は、図３に示すように、室外機３の上部に配置されており、加湿ユニットケーシング７と、加湿ユニット本体６とを備えている。加湿ユニット４は、部屋１ａ，１ｂ内から取り込まれた空気を室外へと排気したり、室外から取り込まれた空気を部屋１ａ，１ｂ内へと供給したりすることができる。また、室外から取り込まれた空気を加湿して部屋１ａ，１ｂ内へと供給することもできる。
【００３９】
以下、加湿ユニット４の構成について説明する。
【００４０】
＜加湿ユニットの構成＞
（１）加湿ユニットケーシング
加湿ユニットケーシング７は、図１および図３に示すように、加湿ロータ５１、加熱装置５２、加湿ファン５４、吸排気切り換えダンパ５３および吸着用送風装置５５等を収納している。
【００４１】
加湿ユニットケーシング７の前面には、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、吸気運転および加湿運転時に、室外から加湿ユニット４内に取り込まれ室内機２ａ，２ｂに送られる空気が通る開口である。また、吸排気口７ｃは、排気運転時に、室内機２ａ，２ｂから取り込まれ加湿ユニット４内から室外へと排気される空気が通る開口である。
【００４２】
（２）加湿ユニット本体
加湿ユニット本体６は、図１および図３に示すように、加湿ロータ５１、加熱装置５２、吸排気切り換えダンパ５３、加湿ファン５４、吸着用送風装置５５等を備えている。
【００４３】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００４４】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００４５】
加湿ファン５４は、加湿ロータ５１の側方に配置されており、室外から取り込まれ室内機２ａ，２ｂへと送られる空気の流れを生成するラジカルファン組立体である。加湿ファン５４は、吸排気口７ｃから加湿ロータ５１および吸排気切り換えダンパ５３を経て部屋１ａ，１ｂ内へと到る空気の流れを生成して、室外から取り入れた空気を室内機２ａ，２ｂへと送る。また、加湿ファン５４は、室内機２ａ，２ｂから取り入れた部屋１ａ，１ｂ内の空気を室外へと排出することもできる。なお、加湿ファン５４は、吸排気切り換えダンパ５３が切り換わることによって、これらの動作を切り換える。加湿ファン５４は、図１に示すように、室外から取り入れた空気を室内機２ａ，２ｂへと送る場合には、加湿ロータ５１のうちの加熱装置５２と対向する部分を通過した空気を、吸排気切り換えダンパ５３を経て吸排気ダクト５８へと送り出す。吸排気ダクト５８は、後述する空気流路切り換え部３０を介して吸排気ホース６ａ，６ｂに接続されており、加湿ファン５４は、吸排気ダクト５８、空気流路切り換え部３０および吸排気ホース６ａ，６ｂを介して室外の空気を室内機２ａ，２ｂへと供給する。なお、吸排気ホース６ａ，６ｂを通って室内機２ａ，２ｂへ送られる空気は、上述のように室内機２ａ，２ｂ内部において室内熱交換器１１ａ，１１ｂの表面に吹き出される。
【００４６】
また、加湿ファン５４は、室内機２ａ，２ｂから取り入れた部屋１ａ，１ｂ内の空気を室外へと排出する場合には、吸排気ホース６ａ，６ｂおよび吸排気ダクト５８を通ってきた部屋１ａ，１ｂ内の空気を吸排気口７ｃから室外へと排出する。
【００４７】
吸着用送風装置５５は、吸着用ファンモータ５９と、吸着用ファンモータ５９によって回転駆動される吸着ファン６１とを有し、加湿ロータ５１のうちの加熱装置５２と対向しない部分を通過する空気の流れを生成する。すなわち、吸着用送風装置５５は、吸着用空気吸入口７ｂから吸い込まれ、加湿ロータ５１のうちの加熱装置５２と対向しない部分を通過し、ベルマウス６２の開口を通り、吸着用空気吹き出し口７ａから室外へ排出される空気の流れを生成する。
【００４８】
吸排気切り換えダンパ５３は、吸排気ダンパと、吸排気ダンパを回転させるための吸排気ダンパ駆動用モータ５３ａ（図９参照）とを含む、回転式の空気流路切換機構である。また、吸排気切り換えダンパ５３は、加湿ファン５４の下方に配置される。さらに、吸排気切り換えダンパ５３では、吸排気ダンパ駆動用モータ５３ａが吸排気ダンパを回転させることで、給気状態と排気状態とが切り換えられる。
【００４９】
給気状態では、加湿ファン５４および後述する搬送用ファン４０ａ，４０ｂによって、加湿ユニット４側から室内機２ａ，２ｂ側に向かう空気流が生成される。例えば、吸排気切り換えダンパ５３が給気状態であり後述する空気流路切り換え部３０が第１状態である場合、加湿ファン５４から吹き出された空気は、吸排気ダクト５８および空気流路切り換え部３０を経て吸排気ホース６ａ，６ｂを通って室内機２ａ，２ｂへと供給されるようになる。これにより、給気状態では、図１に示すＡ１方向に空気が流れ、室外空気が加湿され、または、加湿されずに吸排気ホース６ａ，６ｂを通って室内機２ａ，２ｂへと供給される。
【００５０】
排気状態では、加湿ファン５４および搬送用ファン４０ａ，４０ｂによって、室内機２ａ，２ｂ側から加湿ユニット４側に向かう空気流が生成される。例えば、吸排気切り換えダンパ５３が排気状態であり後述する空気流路切り換え部３０が第１状態である場合、室内機２ａ，２ｂから取り込まれた部屋１ａ，１ｂ内の空気は、吸排気ホース６ａ，６ｂを経て空気流路切り換え部３０および吸排気ダクト５８を通って室外へと排気されるようになる。これにより、排気状態では、図１に示すＡ２方向に空気が流れ、室内機２ａ，２ｂから吸排気ホース６ａ，６ｂ、空気流路切り換え部３０および吸排気ダクト５８を通ってきた空気が、吸排気口７ｃを経て室外へと排気される。
【００５１】
次に、吸排気ダクト５８と吸排気ホース６ａ，６ｂとの間に配置される空気流路切り換え部３０について説明する。
【００５２】
＜空気流路切り換え部＞
空気流路切り換え部３０は、図１、図２、図３および図４に示すように、吸排気ダクト５８および吸排気ホース６ａ，６ｂに接続される空気流路と、空気流路の内側に配備される空気流路切り換えダンパとを有している。
【００５３】
（１）空気流路
空気流路は、第１ダクト３２と、第２ダクト３４と、共有ダクト３３とから構成される。また、空気流路は、加湿ユニットケーシング７の内側に配置されている。第１ダクト３２は、一端が第１吸排気ホース６ａの一部である第１室外ダクト８ａと、他端が共有ダクト３３と接続されている。また、第２ダクト３４は、一端が第２吸排気ホース６ｂの一部である第２室外ダクト８ｂと、他端が共有ダクト３３と接続されている。共有ダクト３３は、一端が第１ダクト３２と、他端が第２ダクト３４と接続されている。また、共有ダクト３３を構成する配管の側面の略中央部分には、吸排気ダクト５８を構成する配管の径と略同一寸法の開口が設けられている。共有ダクト３３は、この開口の位置で吸排気ダクト５８と接続されている。
【００５４】
また、第１室外ダクト８ａの内部には第１搬送用ファン４０ａが設置され、第２室外ダクト８ｂの内部には第２配送用ファン４０ｂが設置されている。第１搬送用ファン４０ａおよび第２搬送用ファン４０ｂは、加湿ユニット本体６側から室内機２ａ，２ｂ側に向かう方向である第１方向と、室内機２ａ，２ｂ側から加湿ユニット本体６側に向かう方向である第２方向とに空気流を生成可能である。なお、第１搬送用ファン４０ａおよび第２搬送用ファン４０ｂは、第１方向と第２方向とに選択的に空気流を生成する。
【００５５】
（２）空気流路切り換えダンパ
空気流路切り換えダンパは、ダンパ４２，４３，４４と、ダンパ駆動モータ４２ｃ，４３ｃ，４４ｃとを含み、加湿運転、給気運転および排気運転における空気流路の状態と、室内空気搬送運転における空気流路の状態とを切り換える。ダンパ４２，４３，４４は、
第１ダンパ４２、第２ダンパ４４および第３ダンパ４３よりなる。また、ダンパ駆動モータ４２ｃ，４３ｃ，４４ｃは、第１駆動モータ４２ｃ、第２駆動モータ４４ｃおよび第３駆動モータ４３ｃよりなる。
【００５６】
ダンパ４２，４３，４４は、第１ダクト３２、第２ダクト３４および吸排気ダクト５８を構成するそれぞれの配管の径と略同一寸法の板状部材であり、それぞれの配管の接続口に設けられている。
【００５７】
第１ダンパ４２は、第１ダクト３２と共有ダクト３３との接続口である第１接続口４２ｂに配置されている。また、第２ダンパ４４は、第２ダクト３４と共有ダクト３３との接続口である第２接続口４４ｂに配置されている。さらに、第３ダンパ４３は、共有ダクト３３と吸排気ダクト５８との接続口である第３接続口４３ｂに配置されている。
【００５８】
ダンパ駆動モータ４２ｃ，４３ｃ，４４ｃは、それぞれのダンパ４２，４３，４４を回動軸４２ａ，４３ａ，４４ａを中心に回転させるために、ダンパの上方に配置されている。なお、図４に示すように、第１駆動モータ４２ｃは第１回動軸４２ａを中心に第１ダンパ４２を回転させ、第２駆動モータ４４ｃは第２回動軸４４ａを中心に第２ダンパ４４を回転させ、第３駆動モータ４３ｃは第３回動軸４３ａを中心に第３ダンパ４３を回転させる。このため、第１ダンパ４２は、第１接続口４２ｂを遮蔽または開放することができる。また、第２ダンパ４４は、第２接続口４４ｂを遮蔽または開放することができる。さらに、第３ダンパ４３は、第３接続口４３ｂを遮蔽または開放することができる。
【００５９】
また、空気流路切り換えダンパは、各ダンパ４２，４３，４４を回転させることで、各ダンパ４２，４３，４４が図５に示す位置にくる第１状態と、各ダンパ４２，４３，４４が図６に示す位置にくる第２状態と、各ダンパ４２，４３，４４が図７に示す位置にくる第３状態と、各ダンパ４２，４３，４４が図８に示す位置にくる第４状態とに切り換わる。
【００６０】
第１状態では、第１ダンパ４２、第２ダンパ４４および第３ダンパ４３が各接続口４２ｂ，４３ｂ，４４ｂを開放する開状態となる。このため、吸排気切り換えダンパ５３が給気状態で、空気流路切り換えダンパが第１状態である場合、加湿ファン５４が駆動し、第１搬送用ファン４０ａおよび第２搬送用ファン４０ｂが回転し第１方向に空気流を生成すると、図５（ａ）に示す矢印の向きに空気が流れる。したがって、加湿ユニット本体６から吹き出された空気が、吸排気ダクト５８および共有ダクト３３を経て第１ダクト３２および第２ダクト３４と第１吸排気ホース６ａおよび第２吸排気ホース６ｂとを通って第１室内機２ａ内および第２室内機２ｂへと供給される。また、吸排気切り換えダンパ５３が排気状態で、空気流路切り換えダンパが第１状態である場合、加湿ファン５４が駆動し、第１搬送用ファン４０ａおよび第２搬送用ファン４０ｂが回転し第２方向に空気流を生成すると、図５（ｂ）に示す矢印の向きに空気が流れる。したがって、第１部屋１ａ内および第２部屋１ｂ内から第１室内機２ａ内および第２室内機２ｂ内に取り込まれた空気が、第１吸排気ホース６ａおよび第２吸排気ホース６ｂと第１ダクト３２および第２ダクト３４とを経て共有ダクト３３および吸排気ダクト５８を通って吸排気口７ｃから室外に排気される。
【００６１】
第２状態では、第１ダンパ４２および第３ダンパ４３が開状態となり、第２ダンパ４４が第２接続口４４ｂを遮蔽する閉状態となる。このため、吸排気切り換えダンパ５３が給気状態で、空気流路切り換えダンパが第２状態である場合、加湿ファン５４が駆動し、第１搬送用ファン４０ａが回転し第１方向に空気流を生成すると、図６（ａ）に示す矢印の向きに空気が流れる。したがって、この第２状態では、加湿ユニット本体６から吹き出された空気が、吸排気ダクト５８および共有ダクト３３を経て第１ダクト３２および第１吸排気ホース６ａを通って第１室内機２ａへと供給される。また、吸排気切り換えダンパ５３が排気状態で、空気流路切り換えダンパが第２状態である場合、加湿ファン５４が駆動し、第１搬送用ファン４０ａが回転し第２方向に空気流を生成すると、図６（ｂ）に示す矢印の向きに空気が流れる。したがって、第１部屋１ａ内から第１室内機２ａ内に取り込まれた空気が、第１吸排気ホース６ａと第１ダクト３２とを経て共有ダクト３３および吸排気ダクト５８を通って吸排気口７ｃから室外に排気される。
【００６２】
第３状態では、第２ダンパ４４および第３ダンパ４３が開状態となり、第１ダンパ４２が閉状態となる。このため、吸排気切り換えダンパ５３が給気状態で、空気流路切り換えダンパが第３状態である場合、加湿ファン５４が駆動し、第２搬送用ファン４０ｂが回転し第１方向に空気流を生成すると、図７（ａ）に示す矢印の向きに空気が流れる。したがって、加湿ユニット本体６から吹き出された空気が、吸排気ダクト５８および共有ダクト３３を経て第２ダクト３４と第２吸排気ホース６ｂとを通って第２室内機２ｂ内へと供給される。また、吸排気切り換えダンパ５３が排気状態で、空気流路切り換えダンパが第３状態である場合、加湿ファン５４が駆動し、第２搬送用ファン４０ｂが回転し第２方向に空気流を生成すると、図７（ｂ）に示す矢印の向きに空気が流れる。したがって、第２部屋１ｂ内から第２室内機２ｂ内に取り込まれた空気が、第２吸排気ホース６ｂと第２ダクト３４とを経て共有ダクト３３および吸排気ダクト５８を通って吸排気口７ｃから室外に排気される。
【００６３】
第４状態では、第１ダンパ４２および第２ダンパ４４が開状態となり、第３ダンパ４３が閉状態となる。この状態で、第１搬送用ファン４０ａが回転し第２方向に空気流が生成され、第２搬送用ファン４０ｂが回転し第１方向に空気流が生成されると、図８（ａ）に示す矢印の向きに空気が流れる。このため、第１室内機２ａに取り入れられた第１部屋１ａ内の空気が、第１吸排気ホース６ａ、第１ダクト、共有ダクト、第２ダクトおよび第２吸排気ホース６ｂを経て第２室内機２ｂを介して第２部屋１ｂ内へと供給される。また、第４状態で、第１搬送用ファン４０ａが回転し第１方向に空気流が生成され、第２搬送用ファン４０ｂが回転し第２方向に空気流が生成されると、図８（ｂ）に示す矢印の向きに空気が流れる。このため、第２室内機２ｂに取り入れられた第２部屋１ｂ内の空気が、第２吸排気ホース６ｂ、第２ダクト、共有ダクト、第１ダクトおよび第１吸排気ホース６ａを経て第１室内機２ａを介して第１部屋１ａ内へと供給される。
【００６４】
さらに、各ダンパ駆動モータ４２ｃ，４３ｃ，４４ｃは、各ダンパ４２，４３，４４の回転を調節することによって、空気流路を流れる空気量を調節することができる。
【００６５】
＜制御部の構成＞
この制御部６０は、図９に示すように、室内機２ａ，２ｂ、室外空調ユニット５および加湿ユニット４の各種機器と接続されており、リモコン８０等を介した空調対象者からの運転指令に基づいて通常運転、加湿運転、給気運転、排気運転および室内空気搬送運転等の各運転モードに応じて各種機器の運転制御を行うことができる。
【００６６】
以下、各空調運転時の空気調和機１００の運転動作について説明する。
【００６７】
＜空気調和機の運転動作＞
（１）通常運転
制御部６０は、リモコン８０から通常運転の指示を受けた場合、通常運転が行われるように、空気調和機１００の運転制御を行う。
【００６８】
通常運転時には、圧縮機２１が駆動されるとともに、室外膨張弁２５ａ，２５ｂが所定の開度に絞られることによって、冷媒が冷媒回路を循環して室内熱交換器１１ａ，１１ｂが蒸発器または凝縮器として機能する。また、室内ファン１２ａ，１２ｂが駆動されることによって、空気取込口から室内機２ａ，２ｂ内に吸い込まれ、室内熱交換器１１ａ，１１ｂを通って、空気吹き出し口から部屋内に吹き出される空気の流れが生成される。これによって、部屋１ａ，１ｂ内の冷房または暖房を行うことができる。
【００６９】
（２）加湿運転
制御部６０は、リモコン８０からの加湿指令を受けた場合に、加湿運転が行われるように空気調和機１００の運転制御を行う。なお、この加湿運転は、暖房運転とともに行われることも多い。また、第１室内機２ａおよび第２室内機２ｂの両方で加湿運転が行われる場合、制御部６０は、空気流路切り換えダンパが第１状態となるように、ダンパ駆動モータ４２ｃ，４３ｃ，４４ｃを駆動させる。また、第１室内機２ａのみで加湿運転が行われる場合、制御部６０は、空気流路切り換えダンパが第２状態となるように、ダンパ駆動モータ４２ｃ，４３ｃ，４４ｃを駆動させる。さらに、第２室内機２ｂのみで加湿運転が行われる場合、制御部６０は、空気流路切り換えダンパが第３状態となるように、ダンパ駆動モータ４２ｃ，４３ｃ，４４ｃを駆動させる。
【００７０】
以下、第１室内機２ａおよび第２室内機２ｂの両方で加湿運転が行われる場合を例として説明する。
【００７１】
制御部６０は、吸排気切り換えダンパ５３が給気状態に、空気流路切り換え部３０が第１状態に切り換わるように制御し、加湿ファン５４を回転させるモータおよび吸着用ファンモータ５９を駆動させる。また、制御部６０は、加熱装置５２が通電されるように制御する。さらに、制御部６０は、第１搬送用ファン４０ａおよび第２搬送用ファン４０ｂを回転させ、第１方向に空気流を生成する。
【００７２】
吸着用ファンモータ５９が駆動されると、室外の空気が加湿ユニット４内に取り入れられ、室外へ排出される。すなわち、室外からの空気は、吸着用空気吸入口７ｂから加湿ユニットケーシング７内に取り入れられる。加湿ユニットケーシング７内に入ってきた空気は、加湿ロータ５１のうちの加熱装置５２に対向しない部分を通過する。このとき、加湿ロータ５１は、加湿ロータ５１の吸着位置を通る空気から水分を吸着する。加湿ロータ５１を通過した空気は、下方に折り返され、吸着用空気吹き出し口７ａから室外機の外側へと排出される。
【００７３】
一方、加湿ファン５４、第１搬送用ファン４０ａおよび第２搬送用ファン４０ｂが駆動されると、室外の空気が加湿ユニット４内に取り込まれ、吸排気ホース６ａ，６ｂ、室内機２ａ，２ｂを通って、部屋１ａ，１ｂ内へ供給される。すなわち、室外の空気は、吸排気口７ｃから加湿ユニットケーシング７内に取り込まれ、加湿ロータ５１を下方から上方に向けて通過し、加加熱装置５２において加熱された後に、加湿ロータ５１を上法から下方に通過する。このとき、加湿ロータ５１に吸着されていた水分が励起され、加湿ロータ５１から空気中に離脱していく。加湿ロータ５１を通過した空気は、加湿ファン５４、吸排気切り換えダンパ５３および空気流路切り換え部３０を通り、吸排気ホース６ａ，６ｂに送られる。吸排気ホース６ａ，６ｂに送られた空気は、室内熱交換器１１ａ，１１ｂを通過して、空気吹き出し口から部屋１ａ，１ｂ内へと吹き出される。この室内機２ａ，２ｂへと送られた空気は、加湿ロータ５１に吸着されていた水分を含むようになっており、これにより、無休水での部屋内の加湿が可能になっている。
【００７４】
この加湿運転では、吸着ファン６１の回転によって外部から加湿ユニット４内に導入された空気中に含まれる水分を加湿ロータ５１に吸着させるとともに、加熱装置５２により加熱された空気を加湿ファン５４の回転によって加湿ロータ５１に通すことで、加湿ロータ５１から離脱した水分を含む空気を、吸排気ダクト５８、空気流路切り換え部３０および吸排気ホース６ａ，６ｂを介して室内機２ａ，２ｂへと供給している。
【００７５】
（３）給気運転
制御部６０は、リモコン８０から給気運転の指示を受けた場合、給気運転が行われるように空気調和機１００の運転制御を行う。
【００７６】
給気運転が行われる場合には、吸着用ファンモータ５９が作動されず、また、加熱装置５２が通電されずに、上述の加湿運転と同様の動作が行われる。これにより、室外から取り入れられた空気が、加湿されずに上述と同様の経路を通って室内機２ａ，２ｂへと送られる。
【００７７】
（４）排気運転
制御部６０は、リモコン８０からの排気運転の指示を受けた場合に、排気運転が行われるように空気調和機１００の運転制御を行う。なお、第１室内機２ａよび第２室内機２ｂの両方で排気運転が行われる場合、制御部６０は、空気流路切り換えダンパが第１状態となるように、ダンパ駆動モータ４２ｃ，４３ｃ，４４ｃを駆動させる。また、第１室内機２ａのみで排気運転が行われる場合、制御部６０は、空気流路切り換えダンパが第２状態となるように、ダンパ駆動モータ４２ｃ，４３ｃ，４４ｃを駆動させる。さらに、第２室内機２ｂのみで排気運転が行われる場合、制御部６０は、空気流路切り換えダンパが第３状態となるように、ダンパ駆動モータ４２ｃ，４３ｃ，４４ｃを駆動させる。
【００７８】
以下、第１室内機２ａおよび第２室内機２ｂの両方で排気運転が行われる場合を例として説明する。
【００７９】
制御部６０は、吸排気切り換えダンパ５３が排気状態に、空気流路切り換え部３０が第１状態に切り換わるように制御し、加湿ファン５４を回転させるモータを駆動させる。また、制御部６０は、第１搬送用ファン４０ａおよび第２搬送用ファン４０ｂを回転させ、第２方向に空気流を生成する。なお、排気運転時には、吸着用ファンモータ５９は駆動されず、加熱装置５２は通電されない。
【００８０】
加湿ファン５４、第１搬送用ファン４０ａおよび第２搬送用ファン４０ｂが駆動されると、室内機２ａ，２ｂから取り込まれた部屋１ａ，１ｂ内の空気は、吸排気ホース６ａ，６ｂを経て加湿ユニット４の内部に取り込まれ、上述の加湿運転時とは逆方向に流れることにより室外へ排出される。すなわち、吸排気ダクト５８から加湿ユニット本体６の内部に取り込まれた空気は、吸排気切り換えダンパ５３、加湿ファン５４を通り、加湿ロータ５１を下方から上方に通過し、吸排気口７ｃから室外へと排出される。
【００８１】
（５）室内空気搬送運転
制御部６０は、リモコン８０から室内空気搬送運転の指示を受けた場合、室内空気搬送運転が行われるように空気調和機１００の運転制御を行う。この室内空気搬送運転は、部屋内の空気を他の部屋内に搬送するための運転である。このため、室内空気搬送運転は、例えば、空気調和が為されている第１部屋１ａ内に居る空調対象者が第２部屋１ｂ内に移動するため、第２部屋１ｂ内の空気調和が開始される場合等に行われる。この場合、空調対象者は、第１部屋１ａ内の空気が第２部屋１ｂ内に搬送されるように、リモコン８０から空気調和機１００に制御信号を送信する。
【００８２】
室内空気搬送運転時には、制御部６０は、空気流路切り換えダンパが第４状態となるように、ダンパ駆動モータ４２ｃ，４３ｃ，４４ｃを駆動させる。また、制御部６０は、第１搬送用ファン４０ａおよび第２搬送用ファン４０ｂを回転させ、第１方向または第２方向に空気流を生成する。なお、室内空気搬送運転時には、加湿ファン５４および吸着用ファンモータ５９は駆動されず、加熱装置５２は、通電されない。
【００８３】
制御部６０は、第１部屋１ａ内から第２部屋１ｂ内への空気搬送運転の指示を受けた場合、第１搬送用ファン４０ａが第２方向に、第２搬送用ファン４０ｂが第１方向に空気流を生成するように、第１搬送用ファン４０ａおよび第２搬送用ファン４０ｂを回転させる。これによって、第１室内機２ａ内に取り込まれた第１部屋１ａ内の空気は、第１吸排気ホース６ａ、第１ダクト３２、共有ダクト３３、第２ダクト３４および第２吸排気ホース６ｂを経て第２室内機２ｂ内を介して第２部屋１ｂ内に搬送される。
【００８４】
また、制御部６０は、第２部屋１ｂ内から第１部屋１ａ内への空気搬送運転の指示を受けた場合、第１搬送用ファン４０ａが第１方向に、また、第２搬送用ファン４０ｂが第２方向に空気流を生成するように、第１搬送用ファン４０ａおよび第２搬送用ファン４０ｂを回転させる。これによって、第２室内機２ｂ内に取り込まれた第２部屋１ｂ内の空気は、第２吸排気ホース６ｂ、第２ダクト３４、共有ダクト３３、第１ダクト３２および第１吸排気ホース６ａを経て第１室内機２ａ内を介して第１部屋１ａ内に搬送される。
【００８５】
＜特徴＞
（１）
従来より、１台の室外機に複数台の室内機が冷媒配管によって接続されているマルチタイプの空気調和機がある。このような空気調和機では、１つの部屋に対して１台の室内機が設置される場合が多い。この場合、各部屋内に設置されている各室内機によって、部屋内の温度が予め設定されている設定温度に近づくように空気調和が行われる。
【００８６】
例えば、特開平９−２１０４３３号公報では、自室および他室にそれぞれ１台ずつの室内機が設置されており、自室の室内機を操作するためのリモートコントローラによって、他室の室内機を操作することができる空気調和機が提案されている。この空気調和機では、空調対象者が、自室においてリモートコントローラを操作することによって、他室の室内機を操作することができる。このため、空調対象者は、自室に居ながら他室内の空気調和を行うことができる。
【００８７】
しかしながら、この空気調和機では、自室および他室に設置されている各室内機によって、それぞれの部屋内の温度から設定温度に近づくように空気調和が開始される。このため、例えば、空気調和が行われている自室内において、空調対象者が他室内の空気調和を開始させる場合、他室の空気調和は、他室の部屋内の温度から設定温度に近づくように行われなければならないことになる。
【００８８】
そこで、上記実施形態では、空気流路切り換え部３０を備えている。空気流路切り換え部３０の空気流路切り換えダンパは、加湿運転時、給気運転時および排気運転時における状態である第１状態、第２状態および第３状態と、室内空気搬送運転時における状態である第４状態とに切り換わることができる。このため、この空気調和機１００では、第１部屋１ａ内の空気を第２部屋１ｂ内に搬送することができ、かつ、第２部屋１ｂ内の空気を第１部屋１ａ内に搬送することができる。したがって、例えば、空気調和の行われている第１部屋１ａ内に居る空調対象者が第１部屋１ａ内から第２部屋１ｂ内に移動する等の理由で、第２部屋１ｂ内の空気調和が開始される場合、この空気調和機１００では、空気調和の行われている第１部屋１ａ内の空気を第２部屋１ｂ内に搬送し、かつ、第２部屋１ｂ内の空気調和を行うことができる。
【００８９】
これによって、後から空気調和する方の部屋内の快適性をより早く確保することができている。
【００９０】
（２）
上記実施形態では、空気流路切り換え部３０の空気流路切り換えダンパは、第１状態、第２状態、第３状態および第４状態に切り換わる。第１状態では、第１ダンパ４２、第２ダンパ４４および第３ダンパ４３が開状態となる。第２状態では、第１ダンパ４２および第３ダンパ４３が開状態となり、第２ダンパ４４が閉状態となる。第３状態では、第２ダンパ４４および第３ダンパ４３が開状態となり、第１ダンパ４２が閉状態となる。第４状態では、第１ダンパ４２および第２ダンパ４４が開状態となり、第３ダンパ４３が閉状態となる。このため、この空気調和機では、空気流路切り換え部３０を介して、室外から第１部屋１ａ内または第２部屋１ｂ内の少なくともいずれか一方に室外の空気を給気したり、第１部屋１ａ内または第２部屋１ｂ内の少なくともいずれか一方から室外に部屋内の空気を排気することができる。また、第１部屋１ａ内から第２部屋１ｂ内に第１部屋１ａ内の空気を搬送したり、第２部屋１ｂ内から第１部屋１ａ内に第２部屋１ｂ内の空気を搬送することができる。
【００９１】
これによって、この空気調和機１００では、給気運転、排気運転および室内空気搬送運転を行うことができている。
【００９２】
また、給気運転および排気運転を行うことで、部屋１ａ，１ｂ内の換気を行うことができる。
【００９３】
（３）
上記実施形態では、空気流路切り換え部３０は、加湿ユニット４内に収容されている。また、第１搬送用ファン４０ａおよび第２搬送用ファン４０ｂは、それぞれ第１室外ダクト８ａの内部および第２室外ダクト８ｂの内部に設置されている。このため、騒音を発生させるおそれのある空気流路切り換え部３０、第１搬送用ファン４０ａおよび第２搬送用ファン４０ｂを室外することができる。さらに、例えば、加湿ユニット本体６の稼動時に空気流路切り換え部３０が駆動する場合には、加湿ユニット本体６の駆動音に空気流路切り換え部３０の駆動音を紛れ込ませることができる。
【００９４】
これによって、空調対象者の不快感を軽減させることができている。
【００９５】
（４）
上記実施形態では、第１搬送用ファン４０ａおよび第２搬送用ファン４０ｂを備えている。第１搬送用ファン４０ａおよび第２搬送用ファン４０ｂは、加湿ユニット本体６側から室内機２ａ，２ｂ側に向かう方向である第１方向と、室内機２ａ，２ｂ側から加湿ユニット本体６側に向かう方向である第２方向とに空気流を生成可能である。このため、これらのファンを備えていない空気調和機と比較して、より大きな空気流を生成することができる。
【００９６】
これによって、空気流路内の圧力損失による風量の低下を軽減することができている。
【００９７】
また、第１搬送用ファン４０ａおよび第２搬送用ファン４０ｂによって空気流が生成されるため、従来の吸排気ホースと比較して、吸排気ホース６ａ，６ｂの長尺化を図ることができる。
【００９８】
（５）
上記実施形態では、室外から取り込まれた空気を加湿することが可能な加湿ユニット本体６を備えている。このため、加湿運転時には、加湿空気を生成し、第１室内機２ａおよび第２室内機２ｂに供給することができる。
【００９９】
これによって、第１部屋１ａ内および第２部屋１ｂ内を加湿することができている。
【０１００】
＜変形例＞
（Ａ）
上記実施形態では、冷媒配管によって１台の室外機３と２台の室内機２ａ，２ｂとが並列に接続されている。しかしながら、１台の室外機に対して、３台以上の室内機が冷媒配管によって接続されている空気調和機に本発明を適用することもできる。例えば、１台の室外機２０３と、３台の室内機２０２ａ，２０２ｂ，２０２ｃとが冷媒配管によって並列に接続される空気調和機２００について説明する。なお、この空気調和機２００において、室内機、加湿ユニット本体および室外空調ユニットの構成は、上記実施形態と同様の構成であるため、説明を省略する。
【０１０１】
この空気調和機２００は、図１０に示すように、それぞれの室内機２０２ａ，２０２ｂ，２０２ｃと加湿ユニット２０４との間に、それぞれの室内機２０２ａ，２０２ｂ，２０２ｃの内部空間と加湿ユニット２０４の内部空間とを連通させることが可能な吸排気ホース２０６ａ，２０６ｂ，２０６ｃが設けられている。なお、吸排気ホース２０６ａ，２０６ｂ，２０６ｃは、室外に配置される室外ダクト２０８ａ，２０８ｂ，２０８ｃと、屋内に配置される室内ダクト２０７ａ，２０７ｂ，２０７ｃとから構成されている。また、吸排気ホース２０６ａ，２０６ｂ，２０６ｃは、空気流路切り換え部２３０を介して吸排気ダクト２５８に接続されている。
【０１０２】
空気流路切り換え部２３０は、吸排気ダクト２５８および吸排気ホース２０６ａ，２０６ｂ，２０６ｃに接続される空気流路と、空気流路の内側に配備される空気流路切り換えダンパとを有している。空気流路は、第１ダクト２３２と、第２ダクト２３４と、第３ダクト２３５と、共有ダクト２３３とから構成される。第１ダクト２３２は、一端が第１吸排気ホース２０６ａの一部である第１室外ダクト２０８ａと、他端が共有ダクト２３３と接続されている。また、第２ダクト２３４は、一端が第２吸排気ホース２０６ｂの一部である第２室外ダクト２０８ｂと、他端が共有ダクト２３３と接続されている。第３ダクト２３５は、一端が第３吸排気ホース２０６ｃの一部である第３室外ダクト２０８ｃと、他端が共有ダクト２３３と接続されている。共有ダクト２３３は、一端が第１ダクト２３２と、他端が第３ダクト２３５と接続されている。また、共有ダクト２３３を構成する配管の側面の略中央部分には、吸排気ダクト２５８を構成する配管の径と略同一寸法の開口が設けられている。共有ダクト２３３は、この開口の位置で吸排気ダクト２５８と接続されている。さらに、共有ダクト２３３を構成する配管の側面の略中央部分には、第２ダクト２３４を構成する配管の径と略同一寸法の開口が設けられている。共有ダクト２３３は、この開口の位置で第２ダクト２３４と接続されている。
【０１０３】
また、第１室外ダクト２０８ａの内部には第１搬送用ファン２４０ａが設置され、第２室外ダクト２０８ｂの内部には第２配送用ファン２４０ｂが設置され、第３室外ダクト２０８ｃの内部には第３搬送用ファン２４０ｃが配置されている。第１搬送用ファン２４０ａ、第２搬送用ファン２４０ｂおよび第３搬送用ファン２４０ｃは、加湿ユニット２０４側から室内機２０２ａ，２０２ｂ，２０２ｃ側に向かう方向である第１方向と、室内機２０２ａ，２０２ｂ，２０２ｃ側から加湿ユニット２０４側に向かう方向である第２方向とに空気流を生成可能である。
【０１０４】
空気流路切り換えダンパは、第１ダンパ２４２、第２ダンパ２４４、第３ダンパ２４５および第４ダンパ２４３よりなるダンパと、それぞれのダンパを駆動させるダンパ駆動モータとを含み、加湿運転、給気運転および排気運転における空気流路の状態と、室内空気搬送運転における空気流路の状態とを切り換える。加湿運転、給気運転および排気運転における空気流路の状態には、第１状態、第２状態、第３状態、第４状態、第５状態、第６状態および第７状態が含まれる。また、室内空気搬送運転には、第８状態、第９状態、第１０状態および第１１状態が含まれる。
【０１０５】
第１状態では、第１ダンパ２４２、第２ダンパ２４４、第３ダンパ２４５および第４ダンパ２４３が開状態となる。
【０１０６】
第２状態では、第１ダンパ２４２、第２ダンパ２４４および第４ダンパ２４３が開状態となり、第３ダンパ２４５が閉状態となる。
【０１０７】
第３状態では、第１ダンパ２４２、第３ダンパ２４５および第４ダンパ２４３が開状態となり、第２ダンパ２４４が閉状態となる。
【０１０８】
第４状態では、第１ダンパ２４２および第４ダンパ２４３が開状態となり、第２ダンパ２４４および第３ダンパ２４５が閉状態となる。
【０１０９】
第５状態では、第２ダンパ２４４、第３ダンパ２４５および第４ダンパ２４３が開状態となり、第１ダンパ２４２が閉状態となる。
【０１１０】
第６状態では、第２ダンパ２４４および第４ダンパ２４３が開状態となり、第１ダンパ２４２および第３ダンパ２４５が閉状態となる。
【０１１１】
第７状態では、第３ダンパ２４５および第４ダンパ２４３が開状態となり、第１ダンパ２４２および第２ダンパ２４４が閉状態となる。
【０１１２】
第８状態では、第１ダンパ２４２、第２ダンパ２４４および第３ダンパ２４５が開状態となり、第４ダンパ２４３が閉状態となる。
【０１１３】
第９状態では、第１ダンパ２４２および第２ダンパ２４４が開状態となり、第３ダンパ２４５および第４ダンパ２４３が閉状態となる。
【０１１４】
第１０状態では、第１ダンパ２４２および第３ダンパ２４５が開状態となり、第２ダンパ２４４および第４ダンパ２４３が閉状態となる。
【０１１５】
第１１状態では、第２ダンパ２４４および第３ダンパ２４５が開状態となり、第１ダンパ２４２および第４ダンパ２４３が閉状態となる。
【０１１６】
例えば、空気流路切り換えダンパが第１状態である場合、加湿ユニット２０４側から室内機２０２ａ，２０２ｂ，２０２ｃ側に室外の空気を供給することができる。また、空気流路切り換えダンパが第１状態である場合、室内機２０２ａ，２０２ｂ，２０２ｃから取り入れた部屋２０１ａ，２０１ｂ，２０１ｃ内の空気を、加湿ユニット２０４を介して室外に排気することができる。
【０１１７】
また、例えば、空気流路切り換えダンパが第８状態であり、第１搬送用ファン２４０ａおよび第２搬送用ファン２４０ｂが第２方向に、第３搬送用ファン２４０ｃが第１方向に空気流を生成した場合、第１部屋２０１ａ内および第２部屋２０１ｂ内の空気は、第３部屋２０１ｃ内に搬送される。また、空気流路切り換えダンパが第８状態であり、第１搬送用ファン２４０ａが第２方向に、第２搬送用ファン２４０ｂおよび第３搬送用ファン２４０ｃが第１方向に空気流を生成した場合、第１部屋２０１ａ内の空気は、第２部屋２０１ｂ内および第３部屋２０１ｃ内に搬送される。
【０１１８】
このような構成によって、この空気調和機２００では、それぞれの部屋２０１ａ，２０１ｂ，２０１ｃ内の換気を行ったり、それぞれの部屋２０１ａ，２０１ｂ，２０１ｃ内の空気を搬送したりすることができる。
【０１１９】
なお、図１０において、符号２０５は室外空調ユニットを、符号２０７ｃは吸排気口を示している。
【０１２０】
（Ｂ）
上記実施形態では、室内空気搬送運転は、空調対象者によってリモコン８０から空気調和機１００に制御信号が送信された場合に行われている。しかし、室内空気搬送運転が空調対象者からの直接の指示がなくても、所定の条件を満たしている場合に自動的に行われるようにしてもよい。
【０１２１】
例えば、部屋内の温度を検知可能な温度検知部を有する室内機を備える空気調和機では、それぞれの部屋内の温度に基づいて、空気搬送運転が自動的に行われる。具体的には、この空気調和機は、これから空気調和が開始される部屋（以下、第１部屋という）に設置されている第１室内機の設定温度と、温度検知部によって検知されたその他の部屋（以下、第２部屋という）の部屋内の温度とを比較する。そして、第１室内機の設定温度と第２部屋の部屋内の温度との差が所定以下の値である場合、この空気調和機は、第２部屋内の空気を第１部屋内に搬送する。
【０１２２】
また、例えば、部屋内の湿度を検知可能な湿度検知部を有する室内機を備える空気調和機では、それぞれの部屋内の湿度に基づいて、空気搬送運転が自動的に行われる。具体的には、この空気調和機は、これから空気調和が開始される部屋（以下、第１部屋という）に設置されている第１室内機の設定湿度と、湿度検知部によって検知されたその他の部屋（以下、第２部屋という）の部屋内の湿度とを比較する。そして、第１室内機の設定湿度と第２部屋の部屋内の湿度との差が所定以下の値である場合、この空気調和機は、第２部屋内の空気を第１部屋内に搬送する。
【０１２３】
なお、室内機に温度検知部および湿度検知部を備えさせ、第１室内機の設定温度または設定湿度と、第２部屋内の温度または湿度の少なくともいずれか一方との差が所定以下の値である場合に、第２部屋内の空気を第１部屋内に搬送してもよい。
【産業上の利用可能性】
【０１２４】
本発明は、後から空気調和する方の部屋内の快適性をより早く確保することができるため、マルチタイプの空気調和機への適用が有用である。
【図面の簡単な説明】
【０１２５】
【図１】本発明の実施形態に係る空気調和機の概略冷媒回路図。
【図２】本発明の実施形態に係る空気調和機の概念図。
【図３】室外機の分解斜視図。
【図４】空気流路切り換え部の概念図。
【図５】第１状態における空気流路切り換え部の（ａ）給気時の空気の流れを示す図、および、（ｂ）排気時の空気の流れを示す図。
【図６】第２状態における空気流路切り換え部の（ａ）給気時の空気の流れを示す図、および、（ｂ）排気時の空気の流れを示す図。
【図７】第３状態における空気流路切り換え部の（ａ）給気時の空気の流れを示す図、および、（ｂ）排気時の空気の流れを示す図。
【図８】第４状態における空気流路切り換え部の（ａ）給気時の空気の流れを示す図、および、（ｂ）排気時の空気の流れを示す図。
【図９】本発明の実施形態に係る空気調和機の備える制御部の制御ブロック図。
【図１０】本発明の変形例に係る空気調和機の概念図。
【符号の説明】
【０１２６】
１ａ，２０１ａ  第１部屋
１ｂ，２０１ｂ  第２部屋
２ａ，２０２ａ  第１室内機
２ｂ，２０２ｂ  第２室内機
４，２０４      加湿ユニット（給気ユニット）
６      加湿ユニット本体（加湿部）
６ａ，２０６ａ  第１吸排気ホース（第１空気流路）
６ｂ，２０６ｂ  第２吸排気ホース（第２空気流路）
７ｃ，２０７ｃ  吸排気口（空気取込口，空気吹き出し口）
３０，２３０  空気流路切り換え部（切り換え部）
４０ａ、２４０ａ  第１搬送用ファン（第１ファン）
４０ｂ，２４０ｂ  第２搬送用ファン（第２ファン）
１００，２００  空気調和機
【図１】
2009168409.tif 000003
【図２】
2009168409.tif 000004
【図３】
2009168409.tif 000005
【図４】
2009168409.tif 000006
【図５】
2009168409.tif 000007
【図６】
2009168409.tif 000008
【図７】
2009168409.tif 000009
【図８】
2009168409.tif 000010
【図９】
2009168409.tif 000011
【図１０】
2009168409.tif 000012